(57)【要約】【課題】マイナスイオンを気軽に有効利用する。【解決手段】磁鉄鉱を含有する鉱石から成る粉末とアルミニウムを主成分とする金属片とを合成樹脂に分散させたマイナスイオン発生体で、眼鏡フレーム４の少なくとも一部を形成するか、或いは眼鏡フレーム４の少なくとも一部を被覆することによって、マイナスイオン発生体の携帯忘れの防止を図ると共に、マイナスイオン発生体を使用者に意識させることなく頭部周辺に配置させ、マイナスイオンを常時漂わせる。【選択図】　　　　図２
2004013040.tif 000002
【特許請求の範囲】
【請求項１】
磁鉄鉱を含有する鉱石から成る粉末とアルミニウムを主成分とする金属片とを合成樹脂に分散させたマイナスイオン発生体で、眼鏡フレームの少なくとも一部を形成したことを特徴とするマイナスイオン発生眼鏡。
【請求項２】
磁鉄鉱を含有する鉱石から成る粉末とアルミニウムを主成分とする金属片とを合成樹脂に分散させたマイナスイオン発生体で、眼鏡フレームの少なくとも一部を被覆したことを特徴とするマイナスイオン発生眼鏡。
【請求項３】
鼻当てを、マイナスイオン発生体で形成したことを特徴とする請求項１又は２記載のマイナスイオン発生眼鏡。
【発明の詳細な説明】
【０００１】
【発明の属する技術分野】
本発明は、人体の頭部周辺にマイナスイオンを常時漂わせて健康増進を促すマイナスイオン発生眼鏡に関する。
【０００２】
【従来の技術】
従来、人体に影響し健康を増進させるものとして、空気中のマイナスイオンが注目されている。
空気中のマイナスイオンとは、酸素等の気体分子が電荷を帯びてイオン化したもので、自然界においては、例えば滝から流れ落ちて衝突した水流が微細な水滴に分断される際、水分子の電子が放出され、この電子が酸素等に結合することによって生成されている。
一方、人為的にマイナスイオンを生成する方法としては、上記の現象を利用した水噴射式の他にも、コロナ放電を利用する方法、ウラン、トリウム等の天然放射性元素を微量含有する鉱石や、天然電気石（トルマリン）を利用する方法が提案されている。
【０００３】
【発明が解決しようとする課題】
ところが、水噴射式のものは、水を循環利用することから、水中での細菌繁殖の問題があり、コロナ放電を利用する方法は、マイナスイオンの発生と同時に有害なオゾンや窒素酸化物を生成してしまい、更にこれら方法は共に装置が大がかりとなって携帯性に欠けていた。
又、天然鉱石利用のものについては、各種鉱石を合成樹脂に分散させ、この合成樹脂（マイナスイオン発生体）で形成した小物類（例えば、文房具、アクセサリー等）が数多く見受けられるものの、小物類は携帯するのを忘れ易く、又例えアクセサリーであっても、同じものを常時身につけることには抵抗を感じる人が多く、マイナスイオンを気軽に有効利用できるものは提供されていない。
【０００４】
【課題を解決するための手段】
本発明は、上記従来技術に基づく、マイナスイオンを気軽に有効利用することが困難な課題に鑑み、磁鉄鉱を含有する鉱石から成る粉末とアルミニウムを主成分とする金属片とを合成樹脂に分散させたマイナスイオン発生体で、眼鏡フレームの少なくとも一部を形成するか、或いは眼鏡フレームの少なくとも一部を被覆することによって、マイナスイオン発生体の携帯忘れの防止を図ると共に、マイナスイオン発生体を使用者に意識させることなく頭部周辺に配置させ、マイナスイオンを常時漂わせる様にして、上記課題を解決する。
【０００５】
【発明の実施の形態】
以下本発明の一実施例を図面に基づいて説明する。
図１は本発明に係るマイナスイオン発生眼鏡を示す図であり、図１は正面図、図２は側面図である。
本発明に係るマイナスイオン発生眼鏡１は、フロントフレーム２とテンプル３とから成る眼鏡フレーム４の全体、或いは少なくとも一部（例えば、テンプル３）をマイナスイオン発生体で形成している。
マイナスイオン発生体は、磁鉄鉱を含有する天然鉱石から成る粉末と、アルミニウムを主成分とする金属片とを合成樹脂に分散させたものである。
尚、マイナスイオン発生体に、所望色の顔料を適宜添加し、着色することで、眼鏡に装飾を付与する様にしても良い。
【０００６】
マイナスイオン発生体に用いる合成樹脂は、人の汗や整髪料に接触しても化学変化しない耐蝕性、耐薬品性に富んだものが望ましく、例えばセルロイド、アセテート、ＡＢＳ樹脂等の従前から眼鏡フレーム形成用として広く利用されているものが良い。
上記合成樹脂に分散させた天然鉱石は、磁鉄鉱を含有するするものであれば良く、例えば、精製していない、花崗岩、石英、長石、緑泥石、角閃石等が挙げられる。
金属片は、磁鉄鉱の有する磁性を高めるためのもので、アルミニウムの箔を細かく裁断したものや、アルミニウムの微粉が適している。
【０００７】
本件発明品は、例えば、マイナスイオン発生体でチタン等の金属製の眼鏡フレーム４の全体を被覆したり、図３に示す様に、マイナスイオン発生体で耳当て５を形成し、テンプル３の先端側（耳に掛ける部分）のみを被覆する様にしても良く、要するにマイナスイオン発生体で、眼鏡フレーム４の少なくとも一部が形成されているか、或いはマイナスイオン発生体で、眼鏡フレーム４の少なくとも一部が被覆されていれば良い。
又、鼻当て６をマイナスイオン発生体で形成しても良い。
【０００８】
次にマイナスイオン発生眼鏡の作用について説明する。
合成樹脂に分散させた磁鉄鉱は、２価のＦｅと３価のＦｅを含有することから、強い磁性を帯びており、この磁性によるローレンツ力は、電子供与体として働くアルミニウムによって更に高められ、このローレンツ力によって、空気中の気体分子から電子が押し出され、酸素等の他の分子に結合してマイナスイオンが生成される。
すると、使用者の頭部周辺で発生したマイナスイオンは、人体のツボの内、特に重要な米噛みに外部から直接働きかけたり、呼吸によって体内に吸引され、内部から人体に作用することによって、血液のｐＨ値を弱アルカリ性に調製し、細胞の活動を活発にして新陳代謝を促進させる。
【０００９】
【発明の効果】
要するに本発明は、磁鉄鉱を含有する鉱石から成る粉末と、アルミニウムを主成分とする金属片とを合成樹脂に分散させたマイナスイオン発生体で、眼鏡フレーム４の少なくとも一部を形成したので、人体の外部と内部の両側からマイナスイオンを利用し、新陳代謝を活発にすることで、効率よく健康増進を促進させることが出来る。
又、眼鏡１を装着するだけで、マイナスイオン発生体を携帯できることから、携帯するのを忘れることがなく、気軽に常用させることが出来る。
【００１０】
マイナスイオン発生体で、眼鏡フレーム４の少なくとも一部を被覆したので、上記効果と同様なる効果を奏するだけでなく、例えばチタン製の軽量眼鏡フレーム４や、近年特に注目を集めている形状記憶合金製の眼鏡フレーム４にも適用でき、顧客による千差万別の要望に応えることが出来る。
【００１１】
鼻当て６を、マイナスイオン発生体で形成したので、使用者の鼻孔近傍でマイナスイオンを生成することで、マイナスイオンの吸引量を増加させ、マイナスイオンによる効能を更に高めることが出来る等その実用的効果甚だ大である。
【図面の簡単な説明】
【図１】本発明に係るマイナスイオン発生眼鏡の正面図である。
【図２】同上側面図である。
【図３】同上金属製フレームの一例を示す側面図である。
【符号の説明】
１　マイナスイオン発生眼鏡
２　フロントフレーム
３　テンプル
４　眼鏡フレーム
６　鼻当て
【図１】
2004013040.tif 000003
【図２】
2004013040.tif 000004
【図３】
2004013040.tif 000005